(57)【特許請求の範囲】
【請求項１】
遠隔操作システムであって、
画像形成装置と、
遠隔操作用画面を用いて前記画像形成装置を遠隔操作する遠隔操作装置と、
を備え、
前記画像形成装置は、
タッチパネルとハードウエアキーとを含む操作入力部と、
前記遠隔操作用画面の候補画面である第１の画面内における合成可能領域を示す合成可能領域情報を前記遠隔操作装置に送信する送信手段と、
を有し、
前記第１の画面は、前記タッチパネルに関するタッチパネル画像を表示するタッチパネル領域と前記ハードウエアキーに関するハードウエアキー画像を表示するハードウエアキー領域とを含む画面であり、
前記合成可能領域は、前記合成可能領域情報において、前記ハードウエアキー画像を含まない領域として規定され、
前記遠隔操作装置は、
前記合成可能領域情報を受信する受信手段と、
前記遠隔操作用画面を表示する表示手段と、
前記第１の画面と前記遠隔操作装置により前記第１の画面に付加される付加画像とを関連付ける情報を格納する格納手段と、
前記格納手段に格納されている前記情報に基づき、前記第１の画面に合成表示される旨が判定される付加画像を、前記合成可能領域情報に基づき、前記第１の画面の前記合成可能領域内に合成して第２の画面を生成し、前記第２の画面を前記遠隔操作用画面として前記表示手段に表示する表示制御手段と、
を有することを特徴とする遠隔操作システム。
【請求項２】
請求項１に記載の遠隔操作システムにおいて、
前記合成可能領域は、前記合成可能領域情報において、付加画像の種別に応じて規定されることを特徴とする遠隔操作システム。
【請求項３】
請求項２に記載の遠隔操作システムにおいて、
前記第１の画面における前記タッチパネル領域は、遠隔操作用のソフトウエアボタンが既に配置されている配置領域を含み、
前記合成可能領域は、特定の種別の付加画像に対して規定された領域であって、前記配置領域以外の領域であり、
前記表示制御手段は、前記特定の種別の付加画像を前記合成可能領域に配置して前記第２の画面を生成することを特徴とする遠隔操作システム。
【請求項４】
請求項２に記載の遠隔操作システムにおいて、
前記第１の画面における前記ハードウエアキー領域は、前記ハードウエアキー画像が配置されている配置領域と前記ハードウエアキー画像が配置されていない非配置領域とを含み、
前記合成可能領域は、特定の種別の付加画像に対して設定される領域であって、前記ハードウエアキー領域内の前記非配置領域であり、
前記表示制御手段は、前記特定の種別の付加画像を前記合成可能領域に配置して前記第２の画面を生成することを特徴とする遠隔操作システム。
【請求項５】
請求項２ないし請求項４のいずれかに記載の遠隔操作システムにおいて、
前記付加画像の種別は、エラー通知に対応する種別と前記遠隔操作装置の内部メモリに対応する種別とのうちの少なくとも１つを含むことを特徴とする遠隔操作システム。
【請求項６】
請求項１に記載の遠隔操作システムにおいて、
前記付加画像は、エラー通知に関する画像または前記遠隔操作装置の内部メモリに関する画像であることを特徴とする遠隔操作システム。
【請求項７】
画像形成装置であって、
タッチパネルとハードウエアキーとを含む操作入力部と、
遠隔操作用画面の候補画面である第１の画面内における合成可能領域を示す合成可能領域情報を、前記遠隔操作用画面の利用装置である遠隔操作装置に送信する送信手段と、
を備え、
前記第１の画面は、前記タッチパネルに関するタッチパネル画像を表示するタッチパネル領域と前記ハードウエアキーに関するハードウエアキー画像を表示するハードウエアキー領域とを含む画面であり、
前記合成可能領域は、前記遠隔操作装置に格納されている管理情報に基づいて前記第１の画面に合成表示される旨が判定される付加画像を、合成表示することが可能な領域であり、前記合成可能領域情報において、前記ハードウエアキー画像を含まない領域として規定されることを特徴とする画像形成装置。
【請求項８】
遠隔操作装置によって遠隔操作される画像形成装置に内蔵されたコンピュータに、
ａ）遠隔操作用画面の候補画面である第１の画面内における合成可能領域を示す合成可能領域情報を生成するステップと、
ｂ）前記遠隔操作用画面の利用装置である前記遠隔操作装置に前記合成可能領域情報を送信するステップと、
を実行させるためのプログラムであって、
前記第１の画面は、前記画像形成装置のタッチパネルに関するタッチパネル画像を表示するタッチパネル領域と前記画像形成装置のハードウエアキーに関するハードウエアキー画像を表示するハードウエアキー領域とを含む画面であり、
前記合成可能領域は、前記遠隔操作装置に格納されている管理情報に基づいて前記第１の画面に合成表示される旨が判定される付加画像を、合成表示することが可能な領域であり、前記合成可能領域情報において、前記ハードウエアキー画像を含まない領域として規定されることを特徴とするプログラム。
【請求項９】
画像形成装置を遠隔操作する遠隔操作装置であって、
遠隔操作用画面の候補画面である第１の画面内における合成可能領域を示す合成可能領域情報を受信する受信手段と、
前記遠隔操作用画面を表示する表示手段と、
前記第１の画面と前記遠隔操作装置により前記第１の画面に付加される付加画像とを関連付ける情報を格納する格納手段と、
前記格納手段に格納されている前記情報に基づき、前記第１の画面に合成表示される旨が判定される付加画像を、前記合成可能領域情報に基づき、前記第１の画面の前記合成可能領域内に合成して第２の画面を生成し、前記第２の画面を前記遠隔操作用画面として前記表示手段に表示する表示制御手段と、
を備え、
前記第１の画面は、前記画像形成装置のタッチパネルに関するタッチパネル画像を表示するタッチパネル領域と前記画像形成装置のハードウエアキーに関するハードウエアキー画像を表示するハードウエアキー領域とを含む画面であり、
前記合成可能領域は、前記合成可能領域情報において、前記ハードウエアキー画像を含まない領域として規定されることを特徴とする遠隔操作装置。
【請求項１０】
画像形成装置を遠隔操作する遠隔操作装置に内蔵されたコンピュータに、
ａ）遠隔操作用画面の候補画面である第１の画面内における合成可能領域を示す合成可能領域情報を受信するステップと、
ｂ）前記第１の画面と前記遠隔操作装置により前記第１の画面に付加される付加画像とを関連付ける情報であって前記遠隔操作装置の格納手段に格納されている情報に基づき、前記第１の画面に合成表示される旨が判定される付加画像を、前記合成可能領域情報に基づき、前記第１の画面の前記合成可能領域内に合成して第２の画面を生成し、前記第２の画面を前記遠隔操作用画面として表示するステップと、
を実行させるためのプログラムであって、
前記第１の画面は、遠隔操作対象装置である前記画像形成装置のタッチパネルに関するタッチパネル画像を表示するタッチパネル領域と前記画像形成装置のハードウエアキーに関するハードウエアキー画像を表示するハードウエアキー領域とを含む画面であり、
前記合成可能領域は、前記合成可能領域情報において、前記ハードウエアキー画像を含まない領域として規定されることを特徴とするプログラム。
【発明の詳細な説明】
【技術分野】
【０００１】
本発明は、遠隔操作システムおよびそれに関連する技術に関する。
【背景技術】
【０００２】
遠隔操作システムにおいては、操作対象装置の遠隔操作を目的として、遠隔操作装置の表示部に遠隔操作用画面を表示する技術が存在する。たとえば、特許文献１には、被遠隔操作装置のディスプレイでの表示画面を模した表示画面画像と当該被遠隔操作装置のハードウエアキー群の外観を模したハードウエアキー画像とを含む遠隔操作用画面を、遠隔操作装置の画面表示部に表示する技術が記載されている。
【先行技術文献】
【特許文献】
【０００３】
【特許文献１】特開２００８−０７１３１３号公報
【発明の概要】
【発明が解決しようとする課題】
【０００４】
上記特許文献１に記載の技術を用いれば、画像形成装置のタッチパネルに関するタッチパネル画像と当該画像形成装置のハードウエアキーに関するハードウエアキー画像とを含む遠隔操作用画面を遠隔操作装置の表示部に表示することによって、当該画像形成装置を遠隔操作することが可能である。
【０００５】
ところで、上記遠隔操作用画面を用いた画像形成装置の遠隔操作中においては、当該画像形成装置の遠隔操作を実行するとともに、当該遠隔操作とは異なる処理をも実行させたい場合が有る。具体的には、画像形成装置の遠隔操作を実行しつつ、ＷＥＢブラウジングを行う場合等が挙げられる。このような場合には、遠隔操作用画面内の一部の領域に対して、ＷＥＢブラウジングに用いるＷＥＢブラウザ画面画像が付加画像として表示される。
【０００６】
しかしながら、このような付加画像が遠隔操作用画面内の任意の領域に合成表示されると、（当該付加画像が合成される領域にも依るが、）当該付加画像によって遠隔操作用画面内のハードウエアキー画像が隠れてしまい、画像形成装置のハードウエアキーの遠隔操作が困難になることがある。
【０００７】
そこで、この発明の課題は、画像形成装置のハードウエアキーを確実に遠隔操作することが可能な技術を提供することにある。
【課題を解決するための手段】
【０００８】
上記課題を解決すべく、請求項１の発明は、遠隔操作システムであって、画像形成装置と、遠隔操作用画面を用いて前記画像形成装置を遠隔操作する遠隔操作装置と、を備え、前記画像形成装置は、タッチパネルとハードウエアキーとを含む操作入力部と、前記遠隔操作用画面の候補画面である第１の画面内における合成可能領域を示す合成可能領域情報を前記遠隔操作装置に送信する送信手段と、を有し、前記第１の画面は、前記タッチパネルに関するタッチパネル画像を表示するタッチパネル領域と前記ハードウエアキーに関するハードウエアキー画像を表示するハードウエアキー領域とを含む画面であり、前記合成可能領域は、前記合成可能領域情報において、前記ハードウエアキー画像を含まない領域として規定され、前記遠隔操作装置は、前記合成可能領域情報を受信する受信手段と、前記遠隔操作用画面を表示する表示手段と、前記第１の画面と前記遠隔操作装置により前記第１の画面に付加される付加画像とを関連付ける情報を格納する格納手段と、前記格納手段に格納されている前記情報に基づき、前記第１の画面に合成表示される旨が判定される付加画像を、前記合成可能領域情報に基づき、前記第１の画面の前記合成可能領域内に合成して第２の画面を生成し、前記第２の画面を前記遠隔操作用画面として前記表示手段に表示する表示制御手段と、を有することを特徴とする。
【０００９】
請求項２の発明は、請求項１の発明に係る遠隔操作システムにおいて、前記合成可能領域は、前記合成可能領域情報において、付加画像の種別に応じて規定されることを特徴とする。
【００１０】
請求項３の発明は、請求項２の発明に係る遠隔操作システムにおいて、前記第１の画面における前記タッチパネル領域は、遠隔操作用のソフトウエアボタンが既に配置されている配置領域を含み、前記合成可能領域は、特定の種別の付加画像に対して規定された領域であって、前記配置領域以外の領域であり、前記表示制御手段は、前記特定の種別の付加画像を前記合成可能領域に配置して前記第２の画面を生成することを特徴とする。
【００１１】
請求項４の発明は、請求項２の発明に係る遠隔操作システムにおいて、前記第１の画面における前記ハードウエアキー領域は、前記ハードウエアキー画像が配置されている配置領域と前記ハードウエアキー画像が配置されていない非配置領域とを含み、前記合成可能領域は、特定の種別の付加画像に対して設定される領域であって、前記ハードウエアキー領域内の前記非配置領域であり、前記表示制御手段は、前記特定の種別の付加画像を前記合成可能領域に配置して前記第２の画面を生成することを特徴とする。
【００１２】
請求項５の発明は、請求項２ないし請求項４のいずれかの発明に係る遠隔操作システムにおいて、前記付加画像の種別は、エラー通知に対応する種別と前記遠隔操作装置の内部メモリに対応する種別とのうちの少なくとも１つを含むことを特徴とする。
請求項６の発明は、請求項１の発明に係る遠隔操作システムにおいて、前記付加画像は、エラー通知に関する画像または前記遠隔操作装置の内部メモリに関する画像であることを特徴とする。
請求項７の発明は、画像形成装置であって、タッチパネルとハードウエアキーとを含む操作入力部と、遠隔操作用画面の候補画面である第１の画面内における合成可能領域を示す合成可能領域情報を、前記遠隔操作用画面の利用装置である遠隔操作装置に送信する送信手段と、を備え、前記第１の画面は、前記タッチパネルに関するタッチパネル画像を表示するタッチパネル領域と前記ハードウエアキーに関するハードウエアキー画像を表示するハードウエアキー領域とを含む画面であり、前記合成可能領域は、前記遠隔操作装置に格納されている管理情報に基づいて前記第１の画面に合成表示される旨が判定される付加画像を、合成表示することが可能な領域であり、前記合成可能領域情報において、前記ハードウエアキー画像を含まない領域として規定されることを特徴とする。
【００１３】
請求項８の発明は、遠隔操作装置によって遠隔操作される画像形成装置に内蔵されたコンピュータに、ａ）遠隔操作用画面の候補画面である第１の画面内における合成可能領域を示す合成可能領域情報を生成するステップと、ｂ）前記遠隔操作用画面の利用装置である前記遠隔操作装置に前記合成可能領域情報を送信するステップと、を実行させるためのプログラムであって、前記第１の画面は、前記画像形成装置のタッチパネルに関するタッチパネル画像を表示するタッチパネル領域と前記画像形成装置のハードウエアキーに関するハードウエアキー画像を表示するハードウエアキー領域とを含む画面であり、前記合成可能領域は、前記遠隔操作装置に格納されている管理情報に基づいて前記第１の画面に合成表示される旨が判定される付加画像を、合成表示することが可能な領域であり、前記合成可能領域情報において、前記ハードウエアキー画像を含まない領域として規定されることを特徴とする。
【００１４】
請求項９の発明は、画像形成装置を遠隔操作する遠隔操作装置であって、遠隔操作用画面の候補画面である第１の画面内における合成可能領域を示す合成可能領域情報を受信する受信手段と、前記遠隔操作用画面を表示する表示手段と、前記第１の画面と前記遠隔操作装置により前記第１の画面に付加される付加画像とを関連付ける情報を格納する格納手段と、前記格納手段に格納されている前記情報に基づき、前記第１の画面に合成表示される旨が判定される付加画像を、前記合成可能領域情報に基づき、前記第１の画面の前記合成可能領域内に合成して第２の画面を生成し、前記第２の画面を前記遠隔操作用画面として前記表示手段に表示する表示制御手段と、を備え、前記第１の画面は、前記画像形成装置のタッチパネルに関するタッチパネル画像を表示するタッチパネル領域と前記画像形成装置のハードウエアキーに関するハードウエアキー画像を表示するハードウエアキー領域とを含む画面であり、前記合成可能領域は、前記合成可能領域情報において、前記ハードウエアキー画像を含まない領域として規定されることを特徴とする。
【００１５】
請求項１０の発明は、画像形成装置を遠隔操作する遠隔操作装置に内蔵されたコンピュータに、ａ）遠隔操作用画面の候補画面である第１の画面内における合成可能領域を示す合成可能領域情報を受信するステップと、ｂ）前記第１の画面と前記遠隔操作装置により前記第１の画面に付加される付加画像とを関連付ける情報であって前記遠隔操作装置の格納手段に格納されている情報に基づき、前記第１の画面に合成表示される旨が判定される付加画像を、前記合成可能領域情報に基づき、前記第１の画面の前記合成可能領域内に合成して第２の画面を生成し、前記第２の画面を前記遠隔操作用画面として表示するステップと、を実行させるためのプログラムであって、前記第１の画面は、遠隔操作対象装置である前記画像形成装置のタッチパネルに関するタッチパネル画像を表示するタッチパネル領域と前記画像形成装置のハードウエアキーに関するハードウエアキー画像を表示するハードウエアキー領域とを含む画面であり、前記合成可能領域は、前記合成可能領域情報において、前記ハードウエアキー画像を含まない領域として規定されることを特徴とする。
【発明の効果】
【００１６】
請求項１ないし請求項１０に記載の発明によれば、合成可能領域が合成可能領域情報においてハードウエアキー画像を含まない領域として規定されているので、ハードウエアキー画像が付加画像によって隠されることなく遠隔操作用画面が表示され得る。したがって、画像形成装置のハードウエアキーを確実に遠隔操作することが可能である。
【００１７】
特に、請求項３に記載の発明によれば、遠隔操作用画面のソフトウエアボタンが既に配置されている配置領域以外の領域である合成可能領域に対して付加画像が配置されて第２の画面が生成され、当該第２の画面が遠隔操作用画面として表示される。そのため、タッチパネル領域内に既に配置されていたソフトウエアボタンが付加画像によって隠されずに済む。したがって、既存のソフトウエアボタンの操作を阻害することがなく、高い操作性を確保することができる。
【００１８】
また特に、請求項４に記載の発明によれば、ハードウエアキー画像が配置されていない非配置領域である合成可能領域に対して付加画像が配置されて第２の画面が生成され、当該第２の画面が遠隔操作用画面として表示される。そのため、ハードウエアキー領域内の非配置領域を有効に活用することが可能である。
【図面の簡単な説明】
【００１９】
【図１】第１実施形態に係る遠隔操作システムの概略構成を示す図である。
【図２】画像形成装置の構成を示す機能ブック図である。
【図３】画像形成装置の操作入力部の外観を示す図である。
【図４】遠隔操作装置の構成を示す機能ブック図である。
【図５】合成可能領域情報を示す図である。
【図６】遠隔操作装置および画像形成装置の動作を示す図である。
【図７】遠隔操作装置のタッチパネルを示す図である。
【図８】遠隔操作装置の候補画面を示す図である。
【図９】遠隔操作装置のタッチパネルを示す図である。
【図１０】遠隔操作装置のタッチパネルを示す図である。
【図１１】遠隔操作装置のタッチパネルを示す図である。
【図１２】管理テーブルを示す図である。
【図１３】第２実施形態に係る合成可能領域情報を示す図である。
【図１４】遠隔操作装置および画像形成装置の動作を示す図である。
【図１５】遠隔操作装置のタッチパネルを示す図である。
【図１６】遠隔操作装置のタッチパネルを示す図である。
【図１７】管理テーブルを示す図である。
【発明を実施するための形態】
【００２０】
＜１．第１実施形態＞
＜１−１．構成概要＞
図１は、第１実施形態に係る遠隔操作システム１の構成を示す概略図である。図１に示すように、遠隔操作システム１は、画像形成装置１０と遠隔操作装置５０とを備える。画像形成装置１０と遠隔操作装置５０とは、互いにネットワークＮＷを介して通信を行うことが可能である。ネットワークＮＷは、ＬＡＮ（Local Area Network）およびインターネットなどによって構成される。また、ネットワークＮＷに対する接続態様は、有線接続であってもよく、或いは無線接続であってもよい。
【００２１】
画像形成装置１０は、遠隔操作装置５０により遠隔操作される装置であり、「遠隔操作対象装置」とも称される。
【００２２】
遠隔操作装置５０は、遠隔操作用画面を用いて画像形成装置１０を遠隔操作する装置であり、「遠隔操作用画面の利用装置」とも称される。
【００２３】
＜１−２．画像形成装置の構成＞
画像形成装置１０は、スキャン機能、コピー機能、ファクシミリ機能およびボックス格納機能などを備える装置（複合機とも称する）である。ここでは、画像形成装置１０として、ＭＦＰ（マルチ・ファンクション・ペリフェラル（Multi-Functional Peripheral））を例示する。
【００２４】
ＭＦＰ１０は、図２の機能ブロック図に示すように、画像読取部２、印刷出力部３、通信部４、格納部５、入出力部６およびコントローラ９等を備えており、これらの各部を複合的に動作させることによって、各種の機能を実現する。
【００２５】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。
【００２６】
印刷出力部３は、印刷対象に関するデータに基づいて紙などの各種の媒体に画像を印刷出力する出力部である。
【００２７】
通信部４は、公衆回線等を介したファクシミリ通信を行うことが可能な処理部である。さらに、通信部４は、ネットワークＮＷを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（遠隔操作装置５０等）との間で各種のデータを授受することが可能である。
【００２８】
格納部５は、ハードディスクドライブ（ＨＤＤ）等の記憶装置で構成される。
【００２９】
入出力部６は、ＭＦＰ１０に対する入力を受け付ける操作入力部６ａと、各種情報の表示出力を行う表示部６ｂとを備えている。図３に示すように、ＭＦＰ１０は操作パネル部６ｃを備えており、当該操作パネル部６ｃにはタッチスクリーン（タッチパネルとも称する）６ｄと各種のハードウエアキー６ｅ（６１ｅ〜６６ｅ，６７１ｅ〜６８３ｅ，６９ｅ）とが設けられている。タッチスクリーン６ｄは、液晶表示パネルに圧電センサ等が埋め込まれて構成されており、表示部６ｂの一部として機能するとともに、操作入力部６ａの一部としても機能する。また、各ハードウエアキー６ｅは、操作入力部６ａの一部として機能する。
【００３０】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）ＰＧ１を実行することによって、各種の処理部を実現する。なお、当該プログラムＰＧ１は、ＵＳＢメモリなどの可搬性の記録媒体、あるいはネットワークＮＷ等を介してＭＦＰ１０にインストールされるようにしてもよい。
【００３１】
具体的には、図２に示すように、コントローラ９は、表示用データ生成部１１と合成可能領域情報生成部１３と送信部１５とを含む各種の処理部を実現する。
【００３２】
表示用データ生成部１１は、ＭＦＰ１０の遠隔操作に用いる画面（以下、遠隔操作用画面とも称する）ＲＧの候補画面ＰＧ１０（図７），ＰＧ２０（図８）等に関する表示用データを生成する処理部である。
【００３３】
候補画面ＰＧは、タッチパネル６ｄおよびハードウエアキー６ｅの配置構成（図３）を模した画面であり且つタッチパネル６ｄの画面構成（図３）をも模した画面である（図７参照）。詳細には、候補画面ＰＧは、タッチパネル領域ＤＡ（次述）とハードウエアキー領域ＥＡ（次述）とを備えて構成される。タッチパネル領域ＤＡは、タッチパネル６ｄに関するタッチパネル画像ＤＧを表示する領域である。また、ハードウエアキー領域ＥＡは、ハードウエアキー６ｅに関するハードウエアキー画像ＥＧを表示する領域である。なお、図７に示すように、ハードウエアキー画像ＥＧ６１〜ＥＧ６６は、ハードウエアキー６１ｅ〜６６ｅにそれぞれ対応する画像である。また、ハードウエアキー画像ＥＧ６７１ｅ〜ＥＧ６８３ｅは、ハードウエアキー６７１ｅ〜６８３ｅにそれぞれ対応する画像である。さらに、ハードウエアキー画像ＥＧ６９は、ハードウエアキー６９ｅに対応する画像である。
【００３４】
合成可能領域情報生成部１３は、次述する合成可能領域ＣＡを示す情報（以下、合成可能領域情報ＧＪ１とも称する）（図５参照）を生成する処理部である。
【００３５】
合成可能領域ＣＡは、候補画面ＰＧに存在しない要素を付加する画像（以下、付加画像とも称する）ＧＳの合成が許可されている領域であり、当該付加画像ＧＳの合成が可能な領域である。
【００３６】
この第１実施形態においては、合成可能領域ＣＡとして、合成可能メイン領域ＣＡ１と合成可能サブ領域ＣＡ２（ＣＡ２１，ＣＡ２２）とが規定されている。合成可能メイン領域ＣＡ１と合成可能サブ領域ＣＡ２とは、合成可能領域情報ＧＪにおいてハードウエアキー画像ＥＧを含まない領域として規定されている。
【００３７】
具体的には、合成可能メイン領域ＣＡ１は、全ての候補画面ＰＧに対して規定される共通の領域である。ここでは、合成可能メイン領域ＣＡ１は、タッチパネル領域ＤＡと同じ領域として規定されている（図９参照）。
【００３８】
一方、合成可能サブ領域ＣＡ２（ＣＡ２１，ＣＡ２２）は各候補画面ＰＧに対して追加的に規定され得る領域である。ここでは、合成可能サブ領域ＣＡ２１，ＣＡ２２が候補画面ＰＧ２０（図８参照）に対してのみ追加的に規定されており、他の候補画面ＰＧには合成可能サブ領域ＣＡ２が規定されていない。合成可能サブ領域ＣＡ２１は、遠隔操作用のソフトウエアボタンＢＴ１〜ＢＴ８（図８参照）が既に配置されている配置領域以外の領域として規定されている（図９参照）。詳細には、合成可能サブ領域ＣＡ２１は、タッチパネル領域ＤＡ内において遠隔操作用のソフトウエアボタンＢＴ１〜ＢＴ８（図８参照）が未だ配置されていない領域（以下、未配置領域とも称する）として規定されている。また、合成可能サブ領域ＣＡ２２も、タッチパネル領域ＤＡの一部の領域に設定されている。
【００３９】
このような合成可能領域ＣＡは、付加画像ＧＳの種別（詳細には、「エラー通知画像」、「ボタン画像」、「下位階層画像」）に応じて規定されているものとも表現される。
【００４０】
具体的には、合成可能メイン領域ＣＡ１は、「エラー通知画像」に関する付加画像ＧＳ１（図１１参照）の合成可能領域ＣＡとして規定されている。「エラー通知画像」は、エラー発生時に当該エラーを通知する画像である。
【００４１】
また、合成可能サブ領域ＣＡ２１は、「ボタン画像」に関する付加画像ＧＳ２１（図９参照）の合成可能領域ＣＡとして規定されている。「ボタン画像」は、遠隔操作用のソフトウエアボタンＢＴ１〜ＢＴ８以外のソフトウエアボタン（詳細には、「内部メモリ表示」ボタン）に関する画像である。
【００４２】
さらに、合成可能サブ領域ＣＡ２２は、付加画像ＧＳ２１の「下位階層画像」に関する付加画像ＧＳ２２（図１０参照）の合成可能領域ＣＡとして規定されている。「下位階層画像」は、遠隔操作用画面ＲＧ内のボタン画像（上位階層の画像）に対する操作入力に応答して表示される下位階層の画像である。
【００４３】
図５は、この第１実施形態に係る合成可能領域情報ＧＪ１を示す図である。
【００４４】
図５に示すように、合成可能領域情報ＧＪ１には、「画面番号」、「合成可能メイン領域」、「合成可能サブ領域」および「サブ領域種別」を含む各種情報が候補画面ＰＧ別に記録されている。
【００４５】
「画面番号」には、各候補画面ＰＧ（ＰＧ１０，ＰＧ２０，...）の画面番号（「００１」，「００２」，...）が記録されている。
【００４６】
「合成可能メイン領域」には、各候補画面ＰＧ１０，ＰＧ２０，...内の合成可能メイン領域ＣＡ１の座標情報（詳細には、左上座標ＬＰおよび右下座標ＲＰ）が記録されている。上述したように、合成可能メイン領域ＣＡ１は全ての候補画面ＰＧに設定されており、各候補画面ＰＧ１０，ＰＧ２０，...の「合成可能メイン領域」に対して合成可能メイン領域ＣＡ１の座標情報がそれぞれ記録されている。
【００４７】
「合成可能サブ領域」には、各候補画面ＰＧ１０，ＰＧ２０，...内の合成可能サブ領域ＣＡ２の座標情報（詳細には、左上座標ＬＰおよび右下座標ＲＰ）が記録されている。上述したように、候補画面ＰＧ２０に対してのみ合成可能領域ＣＡ２１，ＣＡ２２が規定されているので、当該候補画面ＰＧ２０の「合成可能サブ領域」に対してのみ合成可能サブ領域ＣＡ２１，ＣＡ２２の座標情報が記録されている。
【００４８】
「サブ領域種別」には、合成可能サブ領域ＣＡ２に対する合成表示が許可された付加画像ＧＳの種別が記録されている。ここでは、遠隔操作用画面ＲＧ２の「サブ領域種別」に対して、合成可能サブ領域ＣＡ２１，ＣＡ２２に合成表示が許可された付加画像ＧＳの種別（「ボタン画像」、「下位階層画像」）が記録されている。
【００４９】
送信部１５は、候補画面ＰＧに関する表示用データを遠隔操作装置５０に送信するとともに、合成可能領域情報ＧＪ１を遠隔操作装置５０に送信する処理部である。
【００５０】
＜１−３．遠隔操作装置５０の構成＞
遠隔操作装置５０は、図４の機能ブロック図に示すように、撮像部５１、通信部５４、格納部５５、入出力部５６およびコントローラ５９等を備えており、これらの各部を複合的に動作させることによって、各種の機能を実現する。
【００５１】
撮像部５１は、レンズなどの光学素子、およびＣＤＤなどの光電変換素子等により構成される。撮像部５１は、遠隔操作装置５０の周囲の対象物が被写体として撮像されている撮影画像を取得することが可能である。
【００５２】
通信部５４は、ネットワークＮＷを介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、遠隔操作装置５０は、所望の相手先（ＭＦＰ１０等）との間で各種のデータを授受することが可能である。
【００５３】
格納部５５は、ハードディスクドライブ（ＨＤＤ）等の記憶装置で構成される。この格納部５には、ＭＦＰ１０から送信されてきた合成可能領域情報ＧＪ１（図５参照）が格納される。また、格納部５５には、各候補画面ＰＧ１０，ＰＧ２０，...の「画面番号」と付加画像ＧＳ２１，ＧＳ２２とを関連付けて記録する管理テーブルＴＢ１（図１２参照）が格納されている。
【００５４】
図１２に示すように、管理テーブルＴＢ１には、「画面番号」、「付加画像」、「階層」および「種別」を含む各種情報が記録されている。
【００５５】
「画面番号」には、候補画面ＰＧ（ＰＧ１０，ＰＧ２０，...）に対応する画面番号（「００１」，「００２」，...）が記録されている。
【００５６】
「付加画像」には、候補画面ＰＧに付加する付加画像ＧＳが記録されている。ここでは、管理テーブルＴＢ１の２行目の「付加画像」には、付加画像ＧＳ２１，ＧＳ２２が記録されている。なお、付加画像ＧＳ２１は、内部メモリ表示機能を実行するソフトウエアボタンに関する画像である。また、付加画像ＧＳ２２は、付加画像ＧＳ２１の下位階層画像であり、内部メモリに格納されているファイルの一覧表示画面に関する画像である。
【００５７】
「階層」には、付加画像ＧＳの階層情報が記録されている。ここでは、管理テーブルＴＢ１の２行目の「階層」には、付加画像ＧＳ２１，ＧＳ２２の階層情報（「第１階層」，「第２階層」）が記録されている。
【００５８】
「種別」には、付加画像ＧＳの種別が記録されている。ここでは、管理テーブルＴＢ１の２行目の「種別」には、付加画像ＧＳ２１，ＧＳ２２の種別（「ボタン画像」、「下位階層画像」）が記録されている。
【００５９】
入出力部５６は、遠隔操作装置５０に対する入力を受け付ける操作入力部５６ａと、各種情報の表示出力を行う表示部５６ｂとを備えている。この遠隔操作装置５０においては、液晶表示パネルに圧電センサ等が埋め込まれて構成されたタッチパネルＴＰ（図１参照）が設けられている。このタッチパネルＴＰは、操作入力部５６ａの一部として機能するとともに、表示部５６ｂの一部としても機能する。
【００６０】
コントローラ５９は、遠隔操作装置５０に内蔵され、遠隔操作装置５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のソフトウエアプログラム（以下、単にプログラムとも称する）ＰＧ２を実行することによって、各種の処理部を実現する。なお、当該プログラムＰＧ２は、ＵＳＢメモリなどの可搬性の記録媒体、あるいはネットワークＮＷ等を介して遠隔操作装置５０にインストールされるようにしてもよい。
【００６１】
具体的には、図４に示すように、コントローラ５９は、受信部８１と表示制御部８３とを含む各種の処理部を実現する。
【００６２】
受信部８１は、遠隔操作装置５０から送信されてきた合成可能領域情報ＧＪ１等を受信する処理部である。
【００６３】
表示制御部８３は、合成可能領域情報ＧＪに基づき、候補画面ＰＧに付加する付加画像ＧＳを当該候補画面ＰＧの合成可能領域ＣＡ内に合成して合成画面を生成し、当該合成画面を遠隔操作用画面ＲＧとしてタッチパネルＴＰに表示する処理部である。
【００６４】
＜１−４．動作＞
図６は、遠隔操作装置５０およびＭＦＰ１０の動作を示す図である。
【００６５】
遠隔操作装置５０の操作者から所定の操作入力が受け付けられると、遠隔操作装置５０は、ＭＦＰ１０の遠隔操作を実行するリモートアプリケーションプログラムＰＧ２を実行し（図６のステップＳ１１）、ＭＦＰ１０に対してリモート接続の要求を行う（ステップＳ１２）。
【００６６】
これに応じて、ＭＦＰ１０は、各候補画面ＰＧ１０，ＰＧ２０，...に関する表示用データを生成するとともに、合成可能領域情報ＧＪ１（図５参照）を生成する（ステップＳ１３）。
【００６７】
この後、ＭＦＰ１０は、合成可能領域情報ＧＪ１（図５参照）を遠隔操作装置５０に送信する（ステップＳ１４）。
【００６８】
これに応じて、遠隔操作装置５０は、ＭＦＰ１０から送信されてきた合成可能領域情報ＧＪ１を格納部５５に格納する（ステップＳ１５）。
【００６９】
この後、ＭＦＰ１０は、最初の候補画面ＰＧ１０（図７参照）に関する表示用データおよび画面番号（「００１」）を遠隔操作装置５０に送信する（ステップＳ１６）。
【００７０】
これに対して、遠隔操作装置５０は、ＭＦＰ１０から送信されてきた画面番号（「００１」）に対応する候補画面ＰＧ１０を特定する。そして、遠隔操作装置５０は、特定された当該候補画面ＰＧ１０に対して付加画像ＧＳを合成表示するか否かを決定する（ステップＳ１７）。具体的には、遠隔操作装置５０は、当該候補画面に関連付けられた付加画像ＧＳが存在するか否かを管理テーブルＴＢ１（図１２参照）に基づいて判定し、その判定結果に応じて、当該候補画面に対して付加画像ＧＳを合成表示するか否かを決定する。詳細には、当該候補画面に関連付けられた付加画像ＧＳが存在すると判定される場合には、遠隔操作装置５０は、当該候補画面に対して付加画像ＧＳを合成表示する旨を決定する。一方、当該候補画面に関連付けられた付加画像ＧＳが存在しないと判定されると、当該候補画面に対して付加画像ＧＳを合成表示しない旨を決定する。
【００７１】
ここでは、遠隔操作装置５０は、管理テーブルＴＢ１に基づいて、候補画面ＰＧ１０に対して合成表示させる付加画像ＧＳが存在しない旨を判定するとともに、候補画面ＰＧ１０に対して付加画像ＧＳを合成表示しない旨を決定する。そして、ステップＳ１８に進む。
【００７２】
ステップＳ１８では、図７に示すように、遠隔操作装置５０は、候補画面ＰＧ１０をそのまま遠隔操作用画面ＲＧ１０としてタッチパネルＴＰに表示する。
【００７３】
遠隔操作用画面ＲＧ１０がタッチパネルＴＰに表示されると、遠隔操作装置５０は、操作者からの操作入力を受け付ける状態（以下、待機状態ＷＳ１とも称する）に移行する。
【００７４】
この待機状態ＷＳ１において操作者からの操作入力が受け付けられると、遠隔操作装置５０は、操作入力位置情報（詳細には操作入力位置の座標情報）を送信する。
【００７５】
これに応じて、ＭＦＰ１０は、遠隔操作装置５０から送信されてきた操作入力位置情報に基づいて、遠隔操作用画面ＲＧ１０における操作入力（ここでは、ボックス操作画面の表示を指示する操作入力）を受け付ける。
【００７６】
この後、ＭＦＰ１０は、遠隔操作用画面ＲＧ１０における操作入力に応じて新たな候補画面ＰＧを特定し、当該候補画面ＰＧの表示用データを生成する。ここでは、図８に示すように、ＭＦＰ１０は、タッチパネル領域ＤＡに対してボックス操作画面を表示する候補画面ＰＧ２０を新たな候補画面ＰＧとして特定し、当該候補画面ＰＧ２０の表示用データを生成する。そして、ＭＦＰ１０は、候補画面ＰＧ２０の表示用データおよび当該候補画面ＰＧ２０の画面番号（「００２」）を遠隔操作装置５０に送信する（図６のステップＳ２６）。
【００７７】
これに対して、遠隔操作装置５０は、ＭＦＰ１０から送信されてきた画面番号（「００２」）に対応する候補画面ＰＧ２０を特定する。そして、遠隔操作装置５０は、特定された当該候補画面ＰＧ２０に対して付加画像ＧＳを合成表示するか否かを決定する（ステップＳ２７）。具体的には、遠隔操作装置５０は、当該候補画面ＰＧ２０に関連付けられた第１階層の付加画像ＧＳが存在するか否かを管理テーブルＴＢ１（図１２参照）に基づいて判定し、その判定結果に応じて、当該候補画面ＰＧ２０に対して付加画像ＧＳを合成表示するか否かを決定する。
【００７８】
ここでは、管理テーブルＴＢ１（図１２）の２行目に示すように、候補画面ＰＧ２０に関連付けられた第１階層の付加画像ＧＳ２１が存在する。したがって、遠隔操作装置５０は、候補画面ＰＧ２０に対して合成表示させる第１階層の付加画像ＧＳ２１が存在する旨を判定するとともに、当該候補画面ＰＧ２０に対して当該付加画像ＧＳ２１を合成表示する旨を決定する。
【００７９】
この後、遠隔操作装置５０は、合成可能領域情報ＧＪ１（図５）の２行目（候補画面ＰＧ２０に関する各種情報）を参照して、「サブ領域種別」の内容が「ボタン画像」である合成可能サブ領域ＣＡ２１を特定する。そして、遠隔操作装置５０は、付加画像ＧＳ２１を候補画面ＰＧ２０の合成可能サブ領域ＣＡ２１に合成して合成画面を生成し、当該合成画面を遠隔操作用画面ＲＧ２１（図９参照）としてタッチパネルＴＰに表示する（ステップＳ２８）。
【００８０】
そして、遠隔操作装置５０は、操作者からの操作入力を受け付ける状態（以下、待機状態ＷＳ２とも称する）に移行する。
【００８１】
上記待機状態ＷＳ２において合成可能サブ領域ＣＡ２１内の付加画像ＧＳ２１（「ボタン画像」）に対して操作入力が受け付けられると、遠隔操作装置５０は、今度は操作入力位置情報をＭＦＰ１０に送信せずに、次述する処理を実行する。具体的には、遠隔操作装置５０は、合成可能領域情報ＧＪ１（図５）の２行目を参照して、「サブ領域種別」の内容が「下位階層画像」である合成可能サブ領域ＣＡ２２を特定する。そして、遠隔操作装置５０は、付加画像ＧＳ２１の下位階層画像である付加画像ＧＳ２２を候補画面ＰＧ２０の合成可能サブ領域ＣＡ２２に合成して合成画面を生成し、当該合成画面を遠隔操作用画面ＲＧ２２（図１０参照）としてタッチパネルＴＰに表示する。
【００８２】
なお、上記待機状態ＷＳ２において合成可能サブ領域ＣＡ２１以外の領域に対して操作入力が受け付けられると、遠隔操作装置５０は、操作入力位置情報（詳細には操作入力位置の座標情報）をＭＦＰ１０に送信する。
【００８３】
また、仮に、図９に示す遠隔操作用画面ＲＧ２１の表示中にエラーが発生した場合には、遠隔操作装置５０は、当該エラーを通知するエラー通知画像を付加画像ＧＳ１として決定する。そして、遠隔操作装置５０は、当該付加画像ＧＳ１を候補画面ＰＧ２０の合成可能メイン領域ＣＡ１に合成して合成画面を生成し、当該合成画面を遠隔操作用画面ＲＧ２３（図１１参照）としてタッチパネルＴＰに表示する。
【００８４】
以上の動作によれば、合成可能領域ＣＡ（詳細には、合成可能メイン領域ＣＡ１と合成可能サブ領域ＣＡ２１，ＣＡ２２）がハードウエアキー画像ＥＧを含まない領域として規定されているので、ハードウエアキー画像ＥＧが付加画像ＧＳ（詳細には、付加画像ＧＳ１，ＧＳ２１，ＧＳ２２）によって隠されることなく遠隔操作用画面ＲＧが表示される。したがって、ＭＦＰ１０のハードウエアキー６ｅを確実に遠隔操作することが可能である。
【００８５】
また、合成可能サブ領域ＣＡ２１（タッチパネル領域ＤＡ内に既に配置されていたソフトウエアボタンＢＴ１〜ＢＴ８の配置領域以外の領域）に対して付加画像ＧＳ２１が合成されて合成画面が生成され、当該合成画面が遠隔操作用画面ＲＧ２１（図９参照）として表示される。そのため、タッチパネル領域ＤＡ内に既に配置されていたソフトウエアボタンＢＴ１〜ＢＴ８が付加画像ＧＳ２１によって隠されずに済む。したがって、既存のソフトウエアボタンの操作を阻害することなく、高い操作性を確保することができる。
【００８６】
また、遠隔操作用画面ＲＧは、タッチパネル６ｄおよびハードウエアキー６ｅの配置構成を模した画面であり且つ当該タッチパネル６ｄの画面構成をも模した画面である。そのため、ＭＦＰ１０の操作パネル部６ｃを操作する場合と同様の操作性を操作者に対して提供することが可能である。
【００８７】
＜２．第２実施形態＞
第２実施形態は、第１実施形態の変形例である。
【００８８】
以下、第１実施形態との相違点を中心に説明する。
【００８９】
上記第１実施形態では、２つの合成可能サブ領域ＣＡ２１，ＣＡ２２（図９および図１０参照）が共にタッチパネル領域ＤＡの一部の領域に設定されている場合を例示した。
【００９０】
この第２実施形態では、図１５に示すように、一方の合成可能サブ領域ＣＡ４１がハードウエアキー領域ＤＡの一部の領域に設定され、もう一方の合成可能サブ領域ＣＡ４２がタッチパネル領域ＤＡと同じ領域（タッチパネル領域ＤＡの全領域）に設定される場合を例示する。
【００９１】
具体的には、合成可能サブ領域ＣＡ４１は、ハードウエアキー領域ＥＡの一部の領域であり且つハードウエアキー画像ＥＧが配置されない領域（以下、非配置領域とも称する）に設定される（図１５参照）。ここでは、合成可能サブ領域ＣＡ４１は、ハードウエアキー画像ＥＧ６３とハードウエアキー画像ＥＧ６４との間の空白領域（ハードウエアキー画像の非配置領域）に設定されている。
【００９２】
他方、合成可能サブ領域ＣＡ４２は、合成可能メイン領域ＣＡ１と同じ領域に設定される（図１５参照）。なお、合成可能メイン領域ＣＡ１は、上記第１実施形態と同様に、タッチパネル領域ＤＡと同じ領域である。
【００９３】
また、上記第１実施形態では合成可能サブ領域ＣＡ２１，ＣＡ２２が候補画面ＰＧ２０に対してのみ規定される場合を例示したが、この第２実施形態では合成可能サブ領域ＣＡ４１，ＣＡ４２が候補画面ＰＧ２０のみならず候補画面ＰＧ１０に対しても規定される場合を例示する。
【００９４】
図１３は、この第２実施形態に係る合成可能領域情報ＧＪ２を示す図である。
【００９５】
図１３に示すように、合成可能領域情報ＧＪ２には、合成可能領域情報ＧＪ１（図５参照）に記録されている情報に加えて、「ボタン配置可能領域」が記録されている。
【００９６】
「キー配置可能領域」には、配置対象キーの配置が許可された領域（以下、配置可能領域とも称する）ＨＡの座標情報が記録されている。ここでは、「キー配置可能領域」には、２種類の配置対象キーの配置が許可された２つの領域ＨＡ１，ＨＡ２の座標情報が記録されている。
【００９７】
図１７は、この第２実施形態に係る管理テーブルＴＢ２を示す図である。
【００９８】
この第２実施形態においては、管理テーブルＴＢ２の１行目の「付加画像」に付加画像ＧＳ４１１，ＧＳ４１２および付加画像ＧＳ４２１，ＧＳ４２２が記録されている。
【００９９】
付加画像ＧＳ４１１はブラウザ機能を起動するボタンに関する画像であり、付加画像ＧＳ４１２はカメラ機能を起動するボタンに関する画像である。また、付加画像ＧＳ４１２は、付加画像ＧＳ４１１の下位階層画像であり、ブラウザ画面に関する画像である。付加画像ＧＳ４２２は、付加画像ＧＳ４１２の下位階層画像であり、撮像部５１による撮影画像である。
【０１００】
また、管理テーブルＴＢ２の１行目の「階層」には、付加画像ＧＳ４１１，ＧＳ４１２の階層情報（「第１階層」）と付加画像ＧＳ４２１，ＧＳ４２２の階層情報（「第２階層」）とが記録されている。
【０１０１】
また、管理テーブルＴＢ２の１行目の「種別」には、付加画像ＧＳ４１１，ＧＳ４１２の種別（「ボタン画像」）と付加画像ＧＳ４２１，ＧＳ４２２の階層情報（「下位階層画像」）とが記録されている。
【０１０２】
なお、この第２実施形態では、管理テーブルＴＢ２の２行目以降においても、管理テーブルＴＢ２の１行目と同様の内容が記録されているものとする。
【０１０３】
図１４は、この第２実施形態に係る遠隔操作装置５０およびＭＦＰ１０の動作を示す図である。
【０１０４】
まず、ステップＳ３１〜ステップＳ３６においては、図５のステップＳ１１〜ステップＳ１６と同様の処理が実行される。
【０１０５】
ステップＳ３７においては、遠隔操作装置５０は、遠隔操作装置５０は、候補画面ＰＧ１０に対して付加画像ＧＳを合成表示するか否かを決定する。具体的には、遠隔操作装置５０は、当該候補画面ＰＧ１０に関連付けられた第１階層の付加画像ＧＳが存在するか否かを管理テーブルＴＢ２（図１７参照）に基づいて判定し、その判定結果に応じて、当該候補画面ＰＧ１０に対して付加画像ＧＳを合成表示するか否かを決定する。
【０１０６】
ここでは、管理テーブルＴＢ２（図１７）の１行目に示すように、候補画面ＰＧ１０に関連付けられた第１階層の付加画像ＧＳ４１１，ＧＳ４１２が存在する。したがって、遠隔操作装置５０は、候補画面ＰＧ１０に対して合成表示させる第１階層の付加画像ＧＳ４１１，ＧＳ４１２が存在する旨を判定するとともに、当該候補画面ＰＧ１０に対して付加画像ＧＳ４１１，ＧＳ４１２を合成表示する旨を決定する。
【０１０７】
この後、遠隔操作装置５０は、合成可能領域情報ＧＪ２（図１３）の１行目（候補画面ＰＧ１０に関する各種情報）を参照して、「サブ領域種別」の内容が「ボタン画像」である合成可能サブ領域ＣＡ４１を特定する。さらに、遠隔操作装置５０は、合成可能サブ領域ＣＡ４１に設定された領域ＨＡ１，ＨＡ２を特定する。
【０１０８】
そして、遠隔操作装置５０は、付加画像ＧＳ４１１，ＧＳ４１２を候補画面ＰＧ１０の領域ＨＡ１，ＨＡ２にそれぞれ合成して合成画面を生成し、当該合成画面を遠隔操作用画面ＲＧ１１（図１５参照）としてタッチパネルＴＰに表示する（ステップＳ３８）。
【０１０９】
そして、遠隔操作装置５０は、操作者からの操作入力を受け付ける待機状態ＷＳ２に移行する。
【０１１０】
上記待機状態ＷＳ２において合成可能サブ領域ＣＡ４１内の付加画像ＧＳ４１１，ＧＳ４１２（図１５参照）のいずれかに対して操作入力が受け付けられると、遠隔操作装置５０は、次述する処理を実行する。
【０１１１】
具体的には、上記待機状態ＷＳ２において領域ＨＡ１内の付加画像ＧＳ４１１に対して操作入力が受け付けられると、遠隔操作装置５０は、合成可能領域情報ＧＪ２（図１１）の１行目を参照して、「サブ領域種別」の内容が「下位階層画像」である合成可能サブ領域ＣＡ４２を特定する。そして、遠隔操作装置５０は、付加画像ＧＳ４１１の下位階層画像である付加画像ＧＳ４２１を合成可能サブ領域ＣＡ４２に合成して合成画面を生成し、当該合成画面を遠隔操作用画面ＲＧ１２（図１６参照）としてタッチパネルＴＰに表示する。
【０１１２】
また、上記待機状態ＷＳ２において領域ＨＡ２内の付加画像ＧＳ４１２に対して操作入力が受け付けられると、遠隔操作装置５０は、合成可能領域情報ＧＪ２（図１１）の１行目を参照して、「サブ領域種別」の内容が「下位階層画像」である合成可能サブ領域ＣＡ４２を特定する。そして、遠隔操作装置５０は、付加画像ＧＳ４１２の下位階層画像である付加画像ＧＳ４２２を合成可能サブ領域ＣＡ４２に合成して合成画面を生成し、当該合成画面を遠隔操作用画面ＲＧ１３（不図示）としてタッチパネルＴＰに表示する。
【０１１３】
以上の動作によれば、合成可能領域ＣＡ（詳細には、合成可能メイン領域ＣＡ１と合成可能サブ領域ＣＡ４１１，ＣＡ４１２，ＣＡ４２）がハードウエアキー画像ＥＧを含まない領域として規定されているので、ハードウエアキー画像ＥＧが付加画像ＧＳ（詳細には、付加画像ＧＳ１，ＧＳ４１１，ＧＳ４１２，ＧＳ４２１，ＧＳ４２２）によって隠されることなく遠隔操作用画面ＲＧが表示される。したがって、ＭＦＰ１０のハードウエアキー６ｅを確実に遠隔操作することが可能である。
【０１１４】
また、合成可能サブ領域ＣＡ４１がハードウエアキー画像ＥＧが配置されていない非配置領域として規定されており、付加画像ＧＳ４１１，ＧＳ４２２が当該非配置領域である合成可能領域ＣＡ４１内の領域ＨＡ１，ＨＡ２にそれぞれ合成される。そのため、ハードウエアキー領域ＥＡの非配置領域を有効に活用することが可能である。
【０１１５】
＜３．変形例等＞
以上、この発明の実施の形態について説明したが、この発明は上記説明した内容のものに限定されるものではない。
【０１１６】
具体的には、上記各実施形態においては、ＭＦＰ１０が遠隔操作用画面ＲＧの候補画面ＰＧの表示用データを生成して当該表示用データがＭＦＰ１０から遠隔操作装置５０に送信される場合を例示したが、これに限定されない。たとえば、遠隔操作装置５０の格納部５５に候補画面ＰＧの表示用データを予め格納しておき、表示対象である候補画面ＰＧの画面番号のみがＭＦＰ１０から遠隔操作装置５０へと送信されるようにしてもよい。そして、遠隔操作装置５０は、ＭＦＰ１０から送信されてきた画面番号に基づいて表示対象の候補画面ＰＧを特定するとともに、当該候補画面ＰＧに付加画像ＧＳを合成して合成画面を生成し、当該合成画面を遠隔操作用画面ＲＧとして表示するようにしてもよい。
【０１１７】
また、上記第１実施形態では、遠隔操作用画面ＲＧ２１の表示中にエラーが発生した場合において、付加画像ＧＳ１が候補画面ＰＧ２０の合成可能メイン領域ＣＡ１に合成される場合（図１１参照）を例示したが、これに限定されない。たとえば、遠隔操作用画面ＲＧ２１以外の遠隔操作用画面ＲＧ（ＲＧ１０，ＲＧ２２等）の表示中にエラーが発生した場合において、当該遠隔操作用画面ＲＧ（ＲＧ１０，ＰＧ２２等）の候補画面ＰＧ（ＰＧ１０，ＰＧ２０等）の合成可能メイン領域ＣＡ１に付加画像ＧＳ１が合成されるようにしてもよい。
【０１１８】
また、上記第１実施形態においては、「内部メモリ表示機能」の実行を受け付けるボタンに関する画像が付加画像ＧＳ２１として合成可能サブ領域ＣＡ２１に合成表示される場合を例示したが、これに限定されない。たとえば、「ＵＳＢメモリ表示機能」等の他の機能の実行を受け付けるボタンに関する画像が付加画像として合成可能サブ領域ＣＡ２１に合成表示されるようにしてもよい。
【符号の説明】
【０１１９】
ＣＡ  合成可能領域
ＣＡ１  合成可能メイン領域
ＣＡ２  合成可能サブ領域
ＤＡ  タッチパネル領域
ＤＧ  タッチパネル画像
ＥＡ  ハードウエアキー領域
ＥＧ  ハードウエアキー画像
ＧＪ（ＧＪ１，ＧＪ２）  合成可能領域情報
ＧＳ  付加画像
ＨＡ１，ＨＡ２  配置領域
【図１】
0005556829.tif 000002
【図２】
0005556829.tif 000003
【図３】
0005556829.tif 000004
【図４】
0005556829.tif 000005
【図５】
0005556829.tif 000006
【図６】
0005556829.tif 000007
【図７】
0005556829.tif 000008
【図８】
0005556829.tif 000009
【図９】
0005556829.tif 000010
【図１０】
0005556829.tif 000011
【図１１】
0005556829.tif 000012
【図１２】
0005556829.tif 000013
【図１３】
0005556829.tif 000014
【図１４】
0005556829.tif 000015
【図１５】
0005556829.tif 000016
【図１６】
0005556829.tif 000017
【図１７】
0005556829.tif 000018